(57)【要約】      （修正有）【課題】操作パネルの所定の操作ボタンだけを操作できるように操作パネルを覆うように回動自在な操作パネルカバーが設けられたラベルプリンターを提供する。【解決手段】設定選択ボタン群やＰＲＩＮＴボタンを操作したり、各種ＬＥＤ群の点灯を確認する時は、操作パネルカバー７を略水平になる退避位置まで回動させる一方、ラベルプリンター１の設定が終了し、印字データの呼び出し番号を選択してラベル９に印字操作だけを行う場合は、操作パネルカバー７を操作パネル全体を覆う回動エンドの位置まで回動させて操作を行う。【選択図】図２
0003194203.tif 000002
【実用新案登録請求の範囲】
【請求項１】
操作パネルを備えたラベルプリンターであって、該操作パネルを覆うように回動自在に設けられた操作パネルカバーを備えていることを特徴とするラベルプリンター。
【請求項２】
前記操作パネルカバーが前記操作パネルを覆うように回動した時に、前記操作パネルの所定の操作ボタンだけを押圧するように前記操作パネルカバーの裏面の対向位置に凸部が設けられていることを特徴とするラベルプリンタ−。
【考案の詳細な説明】
【技術分野】
【０００１】
本考案は、操作パネルを覆うように回動自在に設けられた操作パネルカバーを備えたラベルプリンターに関するものである。
【背景技術】
【０００２】
従来、複合複写機の操作パネルには、あらかじめ登録された宛先を設定する宛先設定ワンタッチキー部に切替える切替プレートが設けられ、複合的な機能を有するようになっている。
【０００３】
このような複合複写機の操作パネルとして、切替プレートが着脱できる画像形成装置の操作パネルが知られている（特許文献１参照）。この画像形成装置の操作パネルは、支点軸を中心に回動し、回動の位置に応じて切替スイッチがＯＮ，ＯＦＦされる。また、この切替プレートは、可撓性を有する材料で形成されているため着脱が容易に行えるようになっている。
【先行技術文献】
【特許文献】
【０００４】
【特許文献１】特開２００３−３４６５８７号公報
【考案の概要】
【考案が解決しようとする課題】
【０００５】
しかしながら、特許文献１に記載の画像形成装置の操作パネルは、切替プレートを左右に倒すことによって切替スイッチがＯＮ，ＯＦＦされるので一つのキーについて２種類の機能を持たせることができるものの操作パネルを覆うようなものではなかった。
【０００６】
本考案は、上記問題に鑑みてなされたものであって、操作パネルの所定の操作ボタンだけを操作できるように操作パネルを覆うように回動自在な操作パネルカバーが設けられたラベルプリンタ−を提供することを目的とする。
【課題を解決するための手段】
【０００７】
上記の課題を解決するために請求項１に記載のラベルプリンタ−は、操作パネルを備えたラベルプリンターであって、該操作パネルを覆うように回動自在に設けられた操作パネルカバーを備えているものである。
【０００８】
また、上記の課題を解決するために請求項２に記載のラベルプリンタ−は、前記操作パネルカバーが前記操作パネルを覆うように回動した時に、前記操作パネルの所定の操作ボタンだけを押圧するように前記操作パネルカバーの裏面の対向位置に凸部が設けられているものである。
【考案の効果】
【０００９】
請求項１に記載のラベルプリンタ−は、操作パネルを備えたラベルプリンターであって、該操作パネルを覆うように回動自在に設けられた操作パネルカバーを備えているので、操作パネル上で操作をする時は、操作パネルカバーを退避の位置まで退避させて操作をすることができ、操作パネル上で操作をしない時は、操作パネルが操作パネルカバーで覆われる位置まで回動するので誤操作をすることがない。
【００１０】
また、請求項２に記載のラベルプリンタ−は、前記操作パネルカバーが前記操作パネルを覆うように回動した時に、前記操作パネルの所定の操作ボタンだけを押圧するように前記操作パネルカバーの裏面の対向位置に凸部が設けられているので、凸部を介して所定の操作ボタンだけを容易に操作することができる。
【図面の簡単な説明】
【００１１】
【図１】本考案に係るラベルプリンタ−の操作パネルカバーが回動して退避位置にある状態の全体斜視図である。
【図２】本考案に係るラベルプリンタ−の操作パネルカバーが回動して操作パネル全体を覆っている状態の全体斜視図である。
【図３】図２のＡ−Ａ矢視から見た概略断面図である。
【考案を実施するための形態】
【００１２】
以下の実施例にて、本考案に係るラベルプリンタ−について詳述する。なお、本考案については、実施例の詳細な説明だけに限定されるものでなく、本考案の要旨を逸脱しない範囲で適宜変更可能である。
【実施例】
【００１３】
本実施例では、台紙に一定間隔をもって仮着されたラベルがロール状に巻回されたロール紙として装填されたラベルプリンターについて説明する。図１は、本考案に係るラベルプリンタ−の操作パネルカバーが回動して退避位置にある状態の全体斜視図である。図１において、ラベルプリンター１の下流側の上面に操作パネル２が設けられている。この操作パネル２には、主として印字データの呼び出し番号や設定情報などの各種情報を表示するＬＣＤ３、ラベル９に印字を実行させるＰＲＩＮＴボタン４、ラベルプリンター１の各種設定を行ったり印字データの呼び出し番号を選択する設定選択ボタン群５、ラベルプリンター１の異常状態を警告したりするＬＥＤ群６から構成されている。また、ラベル９は、台紙に一定間隔をもって仮着されてロール状に巻回されたロール紙になっており、ラベルプリンター１の上流側に内包されている。
【００１４】
操作パネルカバー７は、コの字状に形成され、両端が取り付けピン８、８に回動自在に枢着されるとともに、両サイドの取り付けピン８、８の一端がラベルプリンター１のサイドフレームに対向する位置に軸着されている。ここで、ラベルプリンター１の各種設定を行ったり印字データの呼び出し番号を選択する時は、図１のように操作パネルカバー７を操作パネル２全体が露出する略水平になる退避位置まで回動させてＰＲＩＮＴボタン４や設定選択ボタン群５を操作する。
【００１５】
図２は、本考案に係るラベルプリンタ−の操作パネルカバーが回動して操作パネル全体を覆っている状態の全体斜視図である。また、図３は、図２のＡ−Ａ矢視から見た概略断面図である。図２において、操作パネルカバー７を回動させて操作パネル７全体を覆う回動エンドの位置にくると回動がストップするようになっている。
【００１６】
図２および図３において、操作パネルカバー７が回動エンドの位置にくると、ＬＣＤ３全体が見えるように操作パネルカバー７に開口部が形成されているとともに、ＰＲＩＮＴボタン４に対向する操作パネルカバー７の表面にはＰＲＩＮＴボタン用マーク７ａ、操作パネルカバー７の裏面には凸部７ｂが形成されている。また、凸部７ｂの下面とＰＲＩＮＴボタン４の上面に若干の隙ができるように操作パネル７の裏面の両肩部分に隙間保持部７ｃ、７ｃが形成されている。すなわち、操作パネルカバー７が回動して隙間保持部７ｃ、７ｃがラベルプリンター１の上面に当接すると回動がストップし回動エンドの位置となる。
【００１７】
次に、操作パネルカバー７を回動させる場合について説明する。ラベルプリンター１の各種設定を行う場合やラベルに印字させたい印字データの番号を選択する場合は、設定選択ボタン群５を操作し、呼び出し番号を選択した印字データをラベル９に印字したい場合はＰＲＩＮＴボタン４を押圧することによって印字される。万が一、ラベルプリンター１に異常があった時は、エラーメッセージをＬＣＤ３に表示させるとともに各種のＬＥＤ群６にも点灯させる。このように設定選択ボタン群５やＰＲＩＮＴボタン４を操作したり、各種ＬＥＤ群６の点灯を確認する時は、操作パネルカバー７を図１のような略水平になる退避位置まで回動させて行う。
【００１８】
通常、いったんラベルプリンター１の設定が終了し、印字データの呼び出し番号を選択した場合は、ラベル９に印字を行うかどうかだけの操作になる場合が多い。その場合は、図２のように操作パネルカバー７を操作パネル７全体を覆う回動エンドの位置まで回動させて行う。そして、呼び出し番号を選択した印字データをラベル９に印字したい場合は、ＰＲＩＮＴボタン用マーク７ａを押圧することによって凸部７ｂを介してＰＲＩＮＴボタン４だけが押圧されて印字される。また、操作パネルカバー７は弾性体を有する材料で形成されているため、ＰＲＩＮＴボタン用マーク７ａを押圧してから手を離すとまた弾性力で元の位置に復元する。
【００１９】
特に、印字データの中の時間項目だけラベルプリンター１の内蔵時計に合わせて印字更したいタイムプリンターや抽選ラベルだけを発行したいラベルプリンターなどの場合に有効である。本実施例では、操作パネルカバー７のＰＲＩＮＴボタン用マーク７ａを押圧することについて説明してあるが、その他のボタンを押圧するようにしても良いし、複数のボタンを押圧するようにしても良い。
【００２０】
また、本実施例では、台紙に一定間隔をもって仮着されたラベルがロール状に巻回されたロール紙として装填されたラベルプリンターについて説明してあるが、たとえば、抽選機能付きの台紙のないジャーナル紙に印字するラベルプリンターや台紙のないライナーレスラベルに印字するライナーレスラベルプリンターなどにも応用することができる。
【産業上の利用可能性】
【００２１】
近年、安心安全が厳しく要求される流通業界にあって、生鮮食品や加工食品などに価格の他にトレーサビリティ情報を含んだラベルが製品ごとに貼付されている。これらのトレーサビリティ情報の中には、通常、ラベルを発行する時の時間項目のデータが含まれているため、内蔵時計を有するラベルプリンターが利用されている。これらのラベルプリンターは、剥離モードにして台紙からラベルを剥離発行して一枚一枚取り出して製品に貼付している。また、これらのラベルプリンターは、物流業界などにも広く利用されている。
【符号の説明】
【００２２】
１    ラベルプリンター
２    操作パネル
３    ＬＣＤ
４    ＰＲＩＮＴボタン
５    設定選択ボタン群
６    ＬＥＤ群
７    操作パネルカバー
７ａ    ＰＲＩＮＴボタン用マーク
７ｂ    凸部
７ｃ    隙間保持部
８    取り付けピン
９    ラベル
【図１】
0003194203.tif 000003
【図２】
0003194203.tif 000004
【図３】
0003194203.tif 000005
【手続補正書】
【提出日】平成26年9月4日(2014.9.4)
【手続補正１】
【補正対象書類名】実用新案登録請求の範囲
【補正対象項目名】請求項２
【補正方法】変更
【補正の内容】
【請求項２】
前記操作パネルカバーが前記操作パネルを覆うように回動した時に、前記操作パネルの所定の操作ボタンだけを押圧するように前記操作パネルカバーの裏面の対向位置に凸部が設けられていることを特徴とする請求項１記載のラベルプリンタ−。